(57)【特許請求の範囲】
【請求項１】
鍵孔に正規のキーが挿入されることによりロータに設けられた複数の板タンブラが前記ロータの周面より内側に退避して該ロータが回動可能となるシリンダ錠において、
前記キーは、長尺板状をなすキープレートを有し、該キープレートの厚み方向の少なくとも一方の面には長手方向に延びるキー溝が凹設されるとともに該キー溝の側面には波状の起伏が形成され、該側面は前記鍵孔に挿入された際に前記各板タンブラの照合突部と係合することにより該各板タンブラを前記内側に退避させる照合面を構成する内溝キーであって、
前記鍵孔は、前記キープレートの厚み方向において前記キー溝の形成されない基部に対応する第１孔部と、前記照合面を構成する前記キー溝の側面を含み前記基部から突出する照合面形成部に対応する第２孔部と、前記キープレートの厚み方向の少なくとも一方の面に形成されて該キープレートの長手方向に延びるリブの挿入を許容する第３孔部とにより形成されてなること、を特徴とするシリンダ錠。
【請求項２】
請求項１に記載のシリンダ錠において、
前記キー溝は、前記キープレートの厚み方向の一方の面に形成され、
前記リブは、前記キー溝と反対側の面に形成されるものであって、
前記第３孔部は、前記第１孔部を挟んで前記第２孔部の反対側に位置すること、
を特徴とするシリンダ錠。
【請求項３】
請求項１又は請求項２に記載のシリンダ錠において、
前記第３孔部は、前記照合面形成部の挿入を許容しない形状であること、
を特徴とするシリンダ錠。
【請求項４】
請求項１〜請求項３の何れか一項に記載のシリンダ錠において、
前記第２孔部は、前記リブの挿入を許容しない形状であること、
を特徴とするシリンダ錠。
【請求項５】
請求項１〜請求項４の何れか一項に記載のシリンダ錠において、
前記各板タンブラは、前記鍵孔に挿入された前記キーが挿通されるキー挿通孔を有し、
該キー挿通孔は、前記第１孔部に対応する基部挿通部と、前記第２孔部に対応して照合突部が設けられた照合部と、前記第３孔部に対応するリブ挿通部とにより形成されてなること、を特徴とするシリンダ錠。
【請求項６】
長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、
前記キープレートの厚み方向の少なくとも一方には該キープレートの長手方向に延びるリブが形成されるとともに、
前記キープレートは、厚み方向において前記キー溝の形成されない基部を有し、前記リブは、その挿入側端部が、前記照合面を構成する前記キー溝の側面を含み前記基部から突出する照合面形成部の挿入側端部よりも抜脱側に位置するように形成されること、
を特徴とするキー。
【請求項７】
長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、
前記キープレートの厚み方向の少なくとも一方には該キープレートの長手方向に延びるリブが形成され、
前記キー溝は、前記キープレートの厚み方向の一方の面に形成され、
前記リブは、前記キー溝が形成された面の反対側の面に形成されるとともに、
前記キープレートは、厚み方向において前記キー溝の形成されない基部を有し、前記リブは、その挿入側端部が、前記照合面を構成する前記キー溝の側面を含み前記基部から突出する照合面形成部の挿入側端部よりも抜脱側に位置するように形成されること、
を特徴とするキー。
【請求項８】
長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、
前記キープレートの厚み方向の少なくとも一方には該キープレートの長手方向に延びるリブが形成されるとともに、
前記リブは、前記各板タンブラの照合突部と係合しないように、その幅が設定されてなること、を特徴とするキー。
【請求項９】
長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、
前記キープレートの厚み方向の少なくとも一方には該キープレートの長手方向に延びるリブが形成され、
前記キー溝は、前記キープレートの厚み方向の一方の面に形成され、
前記リブは、前記キー溝が形成された面の反対側の面に形成されるとともに、前記各板タンブラの照合突部と係合しないように、その幅が設定されてなること、
を特徴とするキー。
【請求項１０】
請求項６又は請求項７に記載のキーにおいて、
前記リブは、前記各板タンブラの照合突部と係合しないように、その幅が設定されてなること、を特徴とするキー。
【請求項１１】
無線通信を介して識別コードの送受信を行うことによりロック装置の施錠・解錠を可能な携帯機において、
エマージェンシーキーとして請求項６〜請求項１０の何れか一項に記載のキーを内蔵すること、を特徴とする携帯機。
【発明の詳細な説明】
【技術分野】
【０００１】
本発明は、シリンダ錠、キー、及び携帯機に関するものである。
【背景技術】
【０００２】
従来、シリンダ錠のキーには、長尺板状をなすキープレートを有し、該キープレートの厚み方向の少なくとも一方の面にはその長手方向に延びるキー溝が凹設されるとともに、該キー溝の両側面には波状の照合面が形成された所謂内溝キーがある（例えば、特許文献１参照）。そして、こうした内溝キーには、ピッキング等の不正解錠操作やキーの複製がされにくいという特徴があることから、多岐にわたる分野においてその採用が進められている。
【０００３】
また、近年、こうしたメカニカルキーにおける対策もさることながら、より高い水準の安全を実現するとともにその更なる利便性の向上を可能とする所謂電子キーシステムが提案されている（例えば、特許文献２参照）。即ち、電子キーシステムとは、無線通信を介して携帯機とロック装置との間で識別コードの送受信を行うことにより同ロック装置の施錠・解錠を可能とするシステムであり、識別コードに基づく認証を行うことで、より高い安全性を確保することができる。そして、キーを鍵孔に挿入する必要がなく利便性が高いことから、車両や住宅等の用途において急速にその普及が進んでいる。
【０００４】
しかしながら、如何に高い安全性と利便性とを両立できるとはいえ、何らかの要因（例えば電気系・通信系の不具合等）により電子キーシステムがフェールした場合を考慮すれば、やはりメカニカルキーとの併用が望ましい。このため、多くの携帯機には、非常用のメカニカルキー（エマージェンシーキー）が内蔵されており、非常時には、このエマージェンシーキーを用いてロック装置の施錠・解錠ができるような構成となっている。
【特許文献１】特開平７−２５９４００号公報
【特許文献２】特開２００５−２２６２５４号公報
【発明の開示】
【発明が解決しようとする課題】
【０００５】
ところで、上記のような電子キーシステムの携帯機には、大別して、扁平箱状の箱型のものと、その厚みが薄いカード型のものとがあり、これら箱型のものとカード型のものとでは、内蔵されるエマージェンシーキーの厚みが異なる。即ち、カード型の携帯機では、その薄い厚みに対応して内蔵されるエマージェンシーキーもまたその厚みの薄いものを採用する必要がある。一方、施錠・解錠操作時おいてキープレートに作用する捻りトルクを考慮すれば、その厚みはより厚い方が望ましい。従って、箱型の携帯機では厚みのあるエマージェンシーキーが採用されている。
【０００６】
しかし、従来のシリンダ錠では、薄型キーに対応したものに厚型キーを挿入することができないのはいうまでもなく、厚型キーに対応したものに薄型キーを挿入した場合もまた、その厚みの違いにより生ずるグラツキのため安定的な施錠・解錠を行うことができない。このため、このような二つの型式のうち何れを採用するかについては、多くの場合、その適用される用途及び想定されるユーザ等に基づいて事前に決定されるのが実情である。
【０００７】
しかしながら、ユーザの立場からすれば、やはり、その時々の状況・気分（所謂ＴＰＯ）に合わせて持ち歩く携帯機の型式を選択したいという欲求が生ずるのが必然であり、こうした要求に応えることが可能なキーロック装置の開発が強く求められている。
【０００８】
本発明は、上記問題点を解決するためになされたものであって、その目的は、厚みの異なるキーを使用可能なシリンダ錠、及びそれに用いられるキー、並びにそのキーを内蔵する携帯機を提供することにある。
【課題を解決するための手段】
【０００９】
上記問題点を解決するために、請求項１に記載の発明は、鍵孔に正規のキーが挿入されることによりロータに設けられた複数の板タンブラが前記ロータの周面より内側に退避して該ロータが回動可能となるシリンダ錠において、前記キーは、長尺板状をなすキープレートを有し、該キープレートの厚み方向の少なくとも一方の面には長手方向に延びるキー溝が凹設されるとともに該キー溝の側面には波状の起伏が形成され、該側面は前記鍵孔に挿入された際に前記各板タンブラの照合突部と係合することにより該各板タンブラを前記内側に退避させる照合面を構成する内溝キーであって、前記鍵孔は、前記キープレートの厚み方向において前記キー溝の形成されない基部に対応する第１孔部と、前記照合面を構成する前記キー溝の側面を含み前記基部から突出する照合面形成部に対応する第２孔部と、前記キープレートの厚み方向の少なくとも一方の面に形成されて該キープレートの長手方向に延びるリブの挿入を許容する第３孔部とにより形成されてなること、を要旨とする。
【００１０】
請求項２に記載の発明は、前記キー溝は、前記キープレートの厚み方向の一方の面に形成され、前記リブは、前記キー溝と反対側の面に形成されるものであって、前記第３孔部は、前記第１孔部を挟んで前記第２孔部の反対側に位置すること、を要旨とする。
【００１１】
上記各構成によれば、リブを設けて厚みを厚くし捻り剛性を高めた厚型のキーと、その基部及び照合面形成部の形状が同厚型のキーと同一の形状を有する薄型のキーとの併用が可能になる。即ち、リブを有しない薄型のキーを挿入した場合であっても、基部が同基部に対応する第１孔部により保持されるためグラツキが発生せず、安定的に施錠・解錠操作を行うことができる。その結果、例えば、これら厚型又は薄型の二種類の正規のキーをそれぞれエマージェンシーキーとして内蔵する箱型の携帯機又はカード型の携帯機を、その時々の状況に応じて使い分けることができるようになる。
【００１２】
請求項３に記載の発明は、前記第３孔部は、前記照合面形成部の挿入を許容しない形状であること、を要旨とする。
請求項４に記載の発明は、前記第２孔部は、前記リブの挿入を許容しない形状であること、を要旨とする。
【００１３】
上記各構成によれば、キーの表裏（例えば、キー溝形成側を表とした場合）が逆の状態で鍵孔に同キーを挿入しようとした場合であっても（所謂「逆差し」）、これを防止することができる。
【００１４】
請求項５に記載の発明は、前記各板タンブラは、前記鍵孔に挿入された前記キーが挿通されるキー挿通孔を有し、該キー挿通孔は、前記第１孔部に対応する基部挿通部と、前記第２孔部に対応して照合突部が設けられた照合部と、前記第３孔部に対応するリブ挿通部とにより形成されてなること、を要旨とする。
【００１５】
上記構成によれば、薄型のキーの挿入時において、より確実に同薄型のキーを保持することができ、その結果、更に安定的に施錠・解錠操作を行うことができるようになる。
請求項６に記載の発明は、長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、前記キープレートの厚み方向の少なくとも一方には該キープレートの長手方向に延びるリブが形成されるとともに、前記キープレートは、厚み方向において前記キー溝の形成されない基部を有し、前記リブは、その挿入側端部が、前記照合面を構成する前記キー溝の側面を含み前記基部から突出する照合面形成部の挿入側端部よりも抜脱側に位置するように形成されること、を要旨とする。
【００１６】
請求項７に記載の発明は、長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、前記キープレートの厚み方向の少なくとも一方には該キープレートの長手方向に延びるリブが形成され、前記キー溝は、前記キープレートの厚み方向の一方の面に形成され、前記リブは、前記キー溝が形成された面の反対側の面に形成されるとともに、前記キープレートは、厚み方向において前記キー溝の形成されない基部を有し、前記リブは、その挿入側端部が、前記照合面を構成する前記キー溝の側面を含み前記基部から突出する照合面形成部の挿入側端部よりも抜脱側に位置するように形成されること、を要旨とする。
【００１７】
請求項８に記載の発明は、長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、前記キープレートの厚み方向の少なくとも一方には該キープレートの長手方向に延びるリブが形成されるとともに、
前記リブは、前記各板タンブラの照合突部と係合しないように、その幅が設定されてなること、を要旨とする。
【００１８】
請求項９に記載の発明は、長尺板状をなすキープレートを有し、該キープレートの厚み方向の少なくとも一方の面には長手方向に延びるキー溝が凹設されるとともに該キー溝の側面には波状の起伏が形成され、該側面はシリンダ錠の鍵孔に挿入された際にそのロータに設けられた各板タンブラの照合突部と係合することにより該各板タンブラを前記ロータの周面より内側に退避させる照合面を構成するキーにおいて、前記キープレートの厚み方向の少なくとも一方には該キープレートの長手方向に延びるリブが形成され、前記キー溝は、前記キープレートの厚み方向の一方の面に形成され、前記リブは、前記キー溝が形成された面の反対側の面に形成されるとともに、前記各板タンブラの照合突部と係合しないように、その幅が設定されてなること、を要旨とする。
【００１９】
請求項１０に記載の発明は、請求項６又は請求項７に記載のキーにおいて、前記リブは、前記各板タンブラの照合突部と係合しないように、その幅が設定されてなること、を要旨とする。
上記各構成によれば、厚みを厚くしてその捻り剛性を高めることができるとともに、上記請求項１〜請求項５のシリンダ錠と組み合わせて使用することで、該キーと同一の基部及び照合面形成部の形状を有する薄型のキーとの共用が可能となる。また、仮に「逆差し」が発生した場合であっても、リブが各板タンブラの照合突部と係合しないため、「逆差し」に伴う不具合の発生を防止することができる。
【００２０】
請求項１１に記載の発明は、無線通信を介して識別コードの送受信を行うことによりロック装置の施錠・解錠を可能な携帯機において、エマージェンシーキーとして請求項６〜請求項１０の何れか一項に記載のキーを内蔵すること、を要旨とする。
【００２１】
上記構成によれば、上記請求項１〜請求項５のシリンダ錠と組み合わせて使用することで、該キーと同一の基部及び照合面形成部の形状を有する薄型のキーをエマージェンシーキーとして内蔵する携帯機とを併用することが可能になる。
【発明の効果】
【００２２】
本発明によれば、厚みの異なるキーを使用可能なシリンダ錠、及びそれに用いられるキー、並びにそのキーを内蔵する携帯機を提供することができる。
【発明を実施するための最良の形態】
【００２３】
以下、本発明を具体化した一実施形態を図面に従って説明する。
図１〜図３に示すように、本実施形態のシリンダ錠１は、正規のキー２と協同して施錠・解錠を行うものであり、キー２が挿入される鍵孔３を有するロータ４と、該ロータ４を回動可能に収容するシリンダ５が形成されたロータケース６とを備えて構成されている。ロータ４は、円柱状に形成されており、鍵孔３は、同ロータ４の意匠面７からその軸方向に沿って穿設されている。そして、ロータ４は、この鍵孔３の形成された意匠面７が外部に露出する状態でシリンダ５内に収容されている。
【００２４】
また、ロータ４には、同ロータ４を径方向に貫通する複数のタンブラ収容孔８が形成されており、各タンブラ収容孔８には、それぞれ板タンブラ９が該各タンブラ収容孔８から出没可能に配設されている。本実施形態では、各タンブラ収容孔８の一端には、該各タンブラ収容孔８と連通するバネ収容穴１０が併設されており、各板タンブラ９は、その周面に形成された係合突部１１がバネ収容穴１０内に収容されたコイルバネ１２の一端に係合することにより、対応する各タンブラ収容孔８から突出する方向に付勢されている。そして、コイルバネ１２の弾性力により各タンブラ収容孔８、即ちロータ４の周面４ａから突出した各板タンブラ９の一端がシリンダ５の壁面５ａに形成された係合凹部１３と係合し、これによりロータ４の回動が規制されるようになっている。
【００２５】
また、各板タンブラ９には、鍵孔３に挿入されたキー２が挿通されるキー挿通孔１４が形成されており、同キー挿通孔１４には、正規のキー２と係合することによりコイルバネ１２の弾性力に抗して該各板タンブラ９をタンブラ収容孔８内に没入させる照合突部１５が形成されている。そして、正規のキー２の挿入により全ての板タンブラ９がロータ４の周面４ａより内側に退避することにより、ロータ４が回動可能、即ちロック状態が解除されるようになっている。
【００２６】
詳述すると、本実施形態では、シリンダ錠１に使用されるキー２は、長尺板状のキープレート２１を有しており、該キープレート２１の厚み方向の一方の面にはその長手方向に延びるキー溝２２が凹設されるとともに、該キー溝２２の両側面２２ａ，２２ｂには、波状の起伏が形成されている。そして、この該キー溝２２の両側面２２ａ，２２ｂにより、各板タンブラ９の照合突部１５と係合して該各板タンブラ９をロータ４の周面４ａより内側に退避させる照合面２３，２４が構成されている。
【００２７】
即ち、本実施形態のシリンダ錠１は、所謂内溝キー用のシリンダ錠であり、各板タンブラ９の照合突部１５は、正規のキー２が所定の挿入位置まで差し込まれた状態におけるその各照合面２３，２４の起伏に対応し、この状態においてのみ全ての板タンブラ９がタンブラ収容孔８内に没入するように設定されている。そして、これにより、正規のキー２を使用する場合にのみ、同シリンダ錠１の施錠・解錠ができるように構成されている。
【００２８】
尚、本実施形態のロータ４は、キー２の照合面２３に対応する板タンブラ９ａ〜９ｄと、同じく照合面２４に対応する板タンブラ９ｅ〜９ｈとを有している。そして、タンブラ収容孔８、バネ収容穴１０、及びコイルバネ１２は、これら各板タンブラ９ａ〜９ｈにそれぞれ対応するように設けられている。
【００２９】
また、本実施形態のシリンダ錠１は、図４（ａ）（ｂ）、図５、図６に示す箱型の携帯機２５ａにエマージェンシーキーとして内蔵される厚型キー２ａ、及び図７（ａ）（ｂ）、図８、図９に示すカード型の携帯機２５ｂにエマージェンシーキーとして内蔵される薄型キー２ｂの厚みｄ０の異なる２つの正規のキー２の使用を可能として構成されている。
【００３０】
詳述すると、本実施形態の厚型キー２ａは、薄型キー２ｂのキー溝２２が形成された側の面と反対側の面にその長手方向に延びるリブ２６を設けた形状とすることにより、その厚みｄａが薄型キー２ｂの厚みｄｂよりも大（ｄａ＞ｄｂ）となるように形成されている。尚、本実施形態の厚型キー２ａでは、同キー溝２２と反対側の面の両側端部に２本のリブ２６が設けられている。
【００３１】
即ち、これら２つの正規のキー２においては、キープレート２１の厚み方向においてキー溝２２の形成されない断面矩形状の部分（基部２７）の形状、及び各照合面２３，２４を構成するキー溝２２の側面２２ａ，２２ｂを含み上記基部２７から突出する部分（照合面形成部２８）の形状が互いに略同一となるように形成されている。具体的には、厚型キー２ａ及び薄型キー２ｂは、そのキープレート２１の幅ｗ０、基部２７の厚みｄ１、並びに照合面形成部２８の厚みｄ２が同一となるように形成されている。そして、それぞれの各照合面２３，２４の起伏形状もまた互いに完全一致するように形成されている。
【００３２】
また、各リブ２６の挿入側端部２６ａは、照合面形成部２８の挿入側端部２８ａよりも抜脱側（キー挿入時後方側）に位置する、即ちキープレート２１の挿入側端部２１ａから各リブ２６の挿入側端部２６ａまでの長さＬ３は、キープレート２１の挿入側端部２１ａから照合面形成部２８の挿入側端部２８ａまでの長さＬ２よりも長く設定されている。
【００３３】
一方、図１０〜図１２に示すように、本実施形態のシリンダ錠１において、鍵孔３は、上記各キー２の基部２７に対応する第１孔部３１、照合面形成部２８に対応する第２孔部３２、及び厚型キー２ａのリブ２６の挿入を可能とする第３孔部３３により形成されている。尚、本実施形態では、厚型キー２ａのリブ２６は、キー溝２２と反対側の面に形成されているため、第３孔部３３は、第１孔部３１を挟んで第２孔部３２の反対側に形成されている。また、各板タンブラ９のキー挿通孔１４も同様に、上記第１孔部３１に対応する基部挿通部３５と、第２孔部３２に対応して照合突部１５が設けられた照合部３６と、第３孔部に対応するリブ挿通部３７とにより形成されている。そして、第１孔部３１及び基部挿通部３５の厚み方向の長さＤ１は、各キー２（厚型キー２ａ及び薄型キー２ｂ）の基部２７の厚みｄ１と略同一（僅かに幅広）に形成され、第２孔部３２及び照合部３６の厚み方向の長さＤ２は、照合面形成部２８の厚みｄ２と略同一（僅かに幅広）に形成されている。
【００３４】
また、本実施形態では、厚型キー２ａの各リブ２６は、その厚み（突出高）ｄ３が、照合面形成部２８の厚みｄ２よりも薄く形成されている。そして、第３孔部３３及びリブ挿通部３７の厚み方向の長さＤ３は、第２孔部３２及び照合部３６の厚み方向の長さＤ２よりも小さく設定されている。即ち、本実施形態でのシリンダ錠１では、キー２の表裏（例えば、キー溝形成側を表とした場合）が逆の状態で鍵孔３に同キー２を挿入しようとした場合であっても（所謂「逆差し」）、第３孔部３３及びリブ挿通部３７は、照合面形成部２８の挿入を許容しない形状となっている。これにより、「逆差し」の発生を予防することができるように構成されている。尚、本実施形態では、厚型キー２ａの各リブ２６は、仮に「逆差し」が発生した場合であっても、各板タンブラ９の照合突部１５と係合しないように、その幅ｗ３が設定されている。
【００３５】
以上、本実施形態によれば、以下のような作用・効果を得ることができる。
（１）厚型キー２ａは、薄型キー２ｂのキー溝２２が形成された側の面と反対側の面にその長手方向に延びるリブ２６を設けた形状とすることにより、その厚みｄａが薄型キー２ｂの厚みｄｂよりも大（ｄａ＞ｄｂ）となるように形成される。そして、シリンダ錠１の鍵孔３は、キープレート２１の厚み方向においてキー溝２２の形成されない基部２７に対応する第１孔部３１、照合面２３，２４を構成するキー溝２２の側面２２ａ，２２ｂを含み上記基部２７から突出する照合面形成部２８に対応する第２孔部３２、及び上記リブ２６の挿入を許容する第３孔部３３とにより形成される。
【００３６】
上記構成によれば、各キー２の挿入時、該各キー２は、その基部２７が同基部２７に対応する第１孔部３１により保持される。従って、リブ２６を有しない薄型キー２ｂを挿入した場合であっても同薄型キー２ｂにグラツキが発生せず、安定的に施錠・解錠操作を行うことができる。その結果、厚みの異なるキーを正規のキーとして使用することが可能となり、ひいては、これら各キー２をそれぞれエマージェンシーキーとして内蔵する箱型の携帯機２５ａ又はカード型の携帯機２５ｂを、その時々の状況に応じて使い分けることができるようになる。
【００３７】
（２）また、厚型キー２ａを上記形状とすることで、その捻り剛性を高めるとともに、シリンダ錠１と組み合わせて使用することで、薄型キー２ｂとの共用が可能となる。
（３）第３孔部３３（及びリブ挿通部３７）は、照合面形成部２８の挿入を許容しない形状に形成される。
【００３８】
上記構成によれば、キー２の表裏（例えば、キー溝形成側を表とした場合）が逆の状態で鍵孔３に同キー２を挿入しようとした場合であっても（所謂「逆差し」）、これを防止することができる。
【００３９】
（４）各リブ２６は。その挿入側端部２６ａが、照合面形成部２８の挿入側端部２８ａよりも抜脱側（キー挿入時後方側）に位置するように形成される。
（５）厚型キー２ａの各リブ２６は、仮に「逆差し」が発生した場合であっても、各板タンブラ９の照合突部１５と係合しないように、その幅ｗ３が設定される。
【００４０】
上記（４）（５）の構成によれば、仮に「逆差し」が発生した場合であっても、リブ２６が各板タンブラ９の照合突部１５と係合しないため、「逆差し」に伴う不具合の発生を防止することができる。
【００４１】
なお、本実施形態は以下のように変更してもよい。
・本実施形態では、本発明を電子キーシステムの携帯機に内蔵されるエマージェンシーキー及び同携帯機、並びにこれに対応するシリンダ錠に具体化した。しかし、これに限らず、エマージェンシーキー以外のキーに具体化してもよい。
【００４２】
・また、本実施形態では、厚型キー２ａは、薄型キー２ｂのキー溝２２が形成された側の面と反対側の面にその長手方向に延びるリブ２６を設けた形状とすることにより、その厚みｄａが薄型キー２ｂの厚みｄｂよりも大とした。しかし、このようなキー溝２２がキープレート２１の厚み方向の一方の面にのみ形成されるものに限らず、キー溝が厚み方向の両面に形成されたものについて、その厚み方向の少なくとも一方の面にリブを形成する構成でもよい。
【００４３】
具体的には、例えば、図１３（ａ）（ｂ）及び図１４（ａ）（ｂ）に示す２つの正規のキー４２（４２ａ，４２ｂ）のように、キープレート５１の厚み方向の両面にキー溝５２が形成され、そのうちの一方の面については、一の照合面形成部５８（ａ）のみが形成されたキー４２ｂをベース、即ち薄型キーとする。そして、厚型キーとなるキー４２ａについては、上記一の照合面形成部５８のみが形成された面に、その厚みｄ７が同照合面形成部５８の厚みｄ５よりも厚いリブ５６を該照合面形成部５８と並行するように設けた形状とすることにより（ｄ７＞ｄ５）、その厚みｄｃがキー４２ｂの厚みｄｄよりも大（ｄｃ＞ｄｄ）となるように形成する。即ち、これらキー４２ａ，４２ｂにおいて、それぞれの各照合面６３，６４，６５の起伏形状、並びに基部５７及び照合面形成部５８の形状（キープレート２１の幅ｗ０、基部５７の厚みｄ４、及び照合面形成部５８の厚みｄ５）は、互いに同一となるように形成する。
【００４４】
一方、図１５（ａ）（ｂ）及び図１６（ａ）（ｂ）に示すように、シリンダ錠側については、その鍵孔４３及びキー挿通孔４４の形状をこれら各キー４２ａ，４２ｂに対応した形状とする。即ち、鍵孔４３は、それぞれ基部５７に対応する第１孔部７１及び各照合面形成部５８に対応する第２孔部７２に加え、上記リブ５６の挿入を可能とする第３孔部７３を備えて構成され、キー挿通孔４４は、これら第１孔部７１、第２孔部７２、及び第３孔部７３にそれぞれ対応する基部挿通部７５、照合部７６及びリブ挿通部７７を備えて構成される。そして、第１孔部７１及び基部挿通部７５の厚み方向の長さＤ４は、各キー４２ａ，４２ｂの基部５７の厚みｄ４と略同一（僅かに幅広）に形成され、第２孔部７２及び照合部７６の厚み方向の長さＤ５は、照合面形成部５８の厚みｄ５と略同一（僅かに幅広）に形成される。そして、これにより、厚みｄ０の異なる二つのキー４２ａ，４２ｂを使用することが可能となる。
【００４５】
尚、このような両面にキー溝５２が形成されたキー４２ａ，４２ｂにおいては、上述の「逆差し」が行われやすい。従って、厚型のキー４２ａのリブ５６の厚み（突出高）ｄ３を照合面形成部５８の厚みｄ５よりも小さく設定するとともに、第３孔部７３及びリブ挿通部７７の厚み方向の長さＤ７を第２孔部７２及び基部挿通部７５の厚み方向の長さＤ５よりも小さく設定して、同第３孔部７３及びリブ挿通部７７を照合面形成部５８の挿入を許容しない形状とする。或いは、仮に「逆差し」が発生した場合であっても、各板タンブラ９の照合突部１５と係合しないように、厚型のキー４２ａのリブ５６の幅ｗ３を設定する。又は、リブ５６の挿入側端部５６ａを、照合面形成部５８の挿入側端部５８ａよりも抜脱側（キー挿入時後方側）に位置、即ちキープレート５１の挿入側端部５１ａからリブ５６の挿入側端部５６ａまでの長さＬ７を、キープレート５１の挿入側端部５１ａから照合面形成部５８の挿入側端部５８ａまでの長さＬ５よりも長く設定するとよい。
【００４６】
・本実施形態では、「鍵孔」としたが、鍵孔３は必ずしもロータ４を貫通するものである必要はなく、鍵孔３と該鍵孔３に連通する各タンブラ収容孔８との関係において「孔」であればよい。従って、ロータ４を貫通するまでは至らない「鍵穴」としても同義であることはいうまでもない。
【００４７】
・本実施形態では、第３孔部３３を照合面形成部２８の挿入を許容しない形状としたが、第２孔部３２をリブ２６の挿入を許容しない形状としてもよい。
【図面の簡単な説明】
【００４８】
【図１】本実施形態のシリンダ錠の分解斜視図。
【図２】シリンダ錠の断面図。
【図３】同じくシリンダ錠の断面図。
【図４】（ａ）厚型キーの斜視図、（ｂ）厚型キーを内蔵する携帯機の斜視図。
【図５】厚型キー（キープレート）の三面図。
【図６】厚型キー（キープレート）の断面図。
【図７】（ａ）薄型キーの斜視図、（ｂ）薄型キーを内蔵する携帯機の斜視図。
【図８】薄型キー（キープレート）の三面図。
【図９】薄型キー（キープレート）の断面図。
【図１０】鍵孔の形状を示す模式図。
【図１１】キー挿通孔の形状を示す模式図。
【図１２】（ａ）（ｂ）鍵孔へのキー挿入状態を示す説明図。
【図１３】（ａ）（ｂ）別例の厚型キー及び薄型キー（キープレート）の三面図。
【図１４】（ａ）（ｂ）別例の厚型キー及び薄型キー（キープレート）の断面図。
【図１５】（ａ）（ｂ）別例の鍵孔及びキー挿通孔の形状を示す模式図。
【図１６】（ａ）（ｂ）別例の鍵孔へのキー挿入状態を示す説明図。
【符号の説明】
【００４９】
１…シリンダ錠、２，４２，４２ａ，４２ｂ…キー、２ａ…厚型キー、２ｂ…薄型キー、３，４３…鍵孔、４…ロータ、４ａ…周面、５…シリンダ、８…タンブラ収容孔、９，９ａ〜９ｈ…板タンブラ、１４，４４…キー挿通孔、１５…照合突部、２１，５１…キープレート、２１ａ，５１ａ…挿入側端部、２２，５２…キー溝、２２ａ，２２ｂ…側面、２３，２４，６３，６４，６５…照合面、２５ａ，２５ｂ…携帯機、２６，５６…リブ、２６ａ，５６ａ…挿入側端部、２７，５７…基部、２８，５８…照合面形成部、２８ａ，５８ａ…挿入側端部、３１，７１…第１孔部、３２，７２…第２孔部、３３，７３…第３孔部、３５，７５…基部挿通部、３６，７６…照合部、３７，７７…リブ挿通部。
【図１】
0004658764.tif 000002
【図２】
0004658764.tif 000003
【図３】
0004658764.tif 000004
【図４】
0004658764.tif 000005
【図５】
0004658764.tif 000006
【図６】
0004658764.tif 000007
【図７】
0004658764.tif 000008
【図８】
0004658764.tif 000009
【図９】
0004658764.tif 000010
【図１０】
0004658764.tif 000011
【図１１】
0004658764.tif 000012
【図１２】
0004658764.tif 000013
【図１３】
0004658764.tif 000014
【図１４】
0004658764.tif 000015
【図１５】
0004658764.tif 000016
【図１６】
0004658764.tif 000017